(57)【要約】      （修正有）【課題】雪止め部材の後端部に設けた定置部材上に製作コストの比較的安価な滑落防止部材を提供する。【解決手段】全体が側面視三角形状に成る雪止め部材１において、垂直線材２と水平線材３・・３’・・と傾斜線材４・・とは等間隔に配置し縦横斜めにおける各ます目部分５・・は横水平線材部８・・が長く，縦垂直線材及び斜め傾斜線材の各線材部が短い矩形状に成り、前記雪止め部材の後端部には定置部材６を構成し、左右両側定板７，７及び中定板１１の前側部に当たる前記雪止め部材の底面部に側面凸形状に成る間隔材１２を設け、前記左右両側定板及び中定板の後側部上面にも側面凸形状に成る間隔材１２’を設け、このように成る間隔材の内部及び上面部に前記横水平線材の端部を架設し、このように成る前記定置部材の上面部に薄網板材１４が設置されている。【選択図】図１
2016017334.tif 000002
【特許請求の範囲】
【請求項１】
全体が側面視三角形状に成る雪止め部材において、垂直線材と水平線材と傾斜線材とは等間隔に配置し縦横斜めにおける各ます目部分は横水平線材部が長く，縦垂直線材及び斜め傾斜線材の各線材部が短い矩形状に成り、前記雪止め部材の後端部には定置部材を構成し、この定置部材においても、雪止め部材を構成する底面部の延長線上および傾斜面部の延長線上に、左右両側端部に設けた側定板間に横水平線材を架設しかつ後端定板に縦水平線材を架設し、この各線材によって構成される各ます目部分も横水平線材部が長く縦線材部が短い矩形状に成り、左右両側定板及び中定板の前側部に当たる前記雪止め部材の底面部に側面凸形状に成る間隔材を設け、この間隔材の内部及び上面部に前記横水平線材の端部を架設し、前記左右両側定板及び中定板の後側部上面にも側面凸形状に成る間隔材を設け、この間隔材の内部及び上面部に前記横水平線材の端部を架設し、このように成る前記定置部材の上面部に薄網板材を設置して成ることを特徴とする屋根用雪止め装置。
【発明の詳細な説明】
【技術分野】
【０００１】
本発明は、屋根における雪止め装置に関するものである。
【背景技術】
【０００２】
従来、屋根の軒先箇所に設置する雪止め部材としては、次に示すような側面視三角形状体の上全面部に網体を被套したものが主力であったところ、このような構造では積雪の滑り止め効果はあっても、融雪効果は弱いものであったし、また雪止め部材の底面部と屋根面とが密接状態で空気の流通がなく雨水が溜まり易いことから、屋根面内部への洩水やスギコケの繁茂などが起こっていた。
【先行技術文献】
【特許文献】
【０００３】
【特許文献１】特開２００６−２０７２３４号公報（特許第４６７６７７３号）
【特許文献２】特開２００８−２９１５３２号公報
【特許文献３】特開２０１０−１６０６号公報
【特許文献４】特開２０１３−９６０５６号公報
【発明の概要】
【発明が解決しようとする課題】
【０００４】
そこで、本発明は、前記のような雪止め装置の欠点を改良し、雪止め部材の底面部と屋根面との間隔をとり空気の流通を促進するとともに雨水の蓄まりを排除し、屋根面から家屋内への洩水を未然に防止するとともにスギコケなどの発生繁茂を防止することを目的とするとともに、屋根面における積雪の滑落防止を製作コストの比較的安価な部材による装置を提供することを目的とする。
【課題を解決するための手段】
【０００５】
本発明は、全体が側面視三角形状に成る雪止め部材において、垂直線材と水平線材と傾斜線材とは等間隔に配置し縦横斜めにおける各ます目部分は横水平線材部が長く，縦垂直線材及び斜め傾斜線材の各線材部が短い矩形状に成り、前記雪止め部材の後端部には定置部材を構成し、この定置部材においても、雪止め部材を構成する底面部の延長線上および傾斜面部の延長線上に、左右両側端部に設けた側定板間に横水平線材を架設しかつ後端定板に縦水平線材を架設し、この各線材によって構成される各ます目部分も横水平線材部が長く縦線材部が短い矩形状に成り、左右両側定板及び中定板の前側部に当たる前記雪止め部材の底面部に側面凸形状に成る間隔材を設け、この間隔材の内部及び上面部に前記横水平線材の端部が架設し、前記左右両側板及び中定板の後側部上面にも側面凸形状に成る間隔材を設け、この間隔材の内部及び上面部に前記横水平線材の端部を架設し、このように成る前記定置部材の上面部に薄網板材を設置して成るものである。
【発明の効果】
【０００６】
第１に、線材で構成する縦横斜めの線材によって形成される各ます目の矩形状部分が積雪の溶解現象を促進することができる。
【０００７】
即ち、特に積雪量の多い傾斜面部分の線材の組み合わせによります目部分の態様が、縦横の長さの異なる矩形状に成ることから、積雪の溶解が促進されることになる。
【０００８】
第２に、前記線材の底面部に当たる左右両側定板と中定板上に側面凸形状の間隔材を設置することによって空気の円滑な流通を図ることができるから、各線材間の積雪の溶解を促進することができるようになる。
【０００９】
第３に、本雪止め装置部と屋根面との間の空気の流通が円滑にできるから、雨水の溜まり現象は起こらず、スギコケなどの繁茂を防止することができる。
【００１０】
第４に、雪止め部材の後端部に設けた定置部材上の横水平線材と縦水平線材の架設本数を半数に減少したりまたは無しにしても、その上面部を被覆する薄網板材によって、十分雪止め効果を挙げることができるとともにそのための製作コストを安価にすることができるのである。
【図面の簡単な説明】
【００１１】
【図１】装置全体の斜視図
【図２】図１の側面図
【発明を実施するための形態】
【００１２】
側面視三角形状に成る雪止め部材においては、垂直線材と水平線材と傾斜線材を等間隔に組合わせて構成するものであるところ、これら三線材による各ます目部分は、横水平線部分が縦垂直線部分や傾斜線部分より長い矩形状に成るものである。
【００１３】
また、前記雪止め部材と一体に成る水平の定置部材においても、前記垂直線材と水平線材と傾斜線材に連通する縦水平線材は横水平線材に対して短い矩形状に成るます目部分を形成するものである。
【００１４】
屋根の軒先箇所において、以上の構成の雪止め部材と定置部材を設置したときは、屋根上の積雪はその各線材に当接して滑落を防止すると同時に、線材長さの縦横のバランスが同じではない矩形状に成ることから、融雪が促進されることになる。これがもし線材の縦横の長さが同じ正方形状の連続になると、融雪の促進はなされず固定状態が保たれることになってしまう。この線材の編成によるます目部の形状の違いによる融雪効果の違いは、積雪時の実験によって証明されている。
【００１５】
この積雪の溶解は、雪止め部材や定置部材の左右両側端部に設置する凸形状間隔材によって、各部材全体の底面部を吹き抜ける空気の流通を円滑にすることにより促進されるようになる。
【００１６】
定置部材上の横水平線材と縦水平線材の架設本数を減少しても、またはこれを無しにしても、その上面部に設置する薄網部材によって雪止め作用を行うことになる。
【実施例１】
【００１７】
１は全体が側面視三角形状に成る垂直部と底面部と傾斜面部から成る雪止め部材で、この部材全体の各部は次のような３方向への線材の組合せから成る。即ち、正面視の垂直線材２と水平線材３・・と平面視の傾斜線材４・・と底面視の水平線材３’・・とは、それぞれ等間隔をおいて配置する。
【００１８】
前記雪止め部材１を構成する各線材による縦横斜めにおける各ます目部分５を見ると、それぞれ横線材部が長く縦及び斜めの各線材部が短い矩形状に成る。
【００１９】
６は前記側面視三角形状に成る雪止め部材１の後端部に一体に構成した定置部材で、この定置部材においても前記雪止め部材１を構成する底面部の延長線上および傾斜面部の延長線上に、左右両側端部に設けた側定板７，７間に横水平線材８・・を架設しかつ後端定板９に縦水平線材１０・・を架設するが、この定置部材における各線材８・・１０・・によって構成される各ます目部分５にあっても、横線材部が長く縦線材部が短い矩形状に成る。
【００２０】
１１は前記左右両側定板７，７の中間部に設けた中定板で、この中定板上には前記横水平線材８・・の中間部を架設する。
【００２１】
１２，１２，１２は前記左右両側定板７，７及び中定板１１の前側部に当たる前記雪止め部材１の底面部に設けた側面凸形状に成る間隔材で、この間隔材によって雪止め部材の底面部と屋根面との密接関係を排除して浮上関係を保持し、空気の流通を円滑に行うようにする。この間隔材１２の内部には、別の横水平線材８・・の一端部が架設し固着するようになるが、この間隔材１２の上側面部にも別の横水平線材８の一端部が架設し固着する。
【００２２】
左右側定板７，７および中定板１１の前側部に当たる雪止め部材１の底面部に設けた側面凸形状の間隔材１２，１２，１２と同じ構成の間隔部材を、さらに前記左右側定板７，７および中定板１１の後側部上面に側面凸形状の間隔材１２’，１２’，１２’として設置し、屋根面部との間隔をより大きく保持することにより、空気の流通と積雪の溶解を促進することになる。
【００２３】
前後２つの間隔材１２，１２，１２’，１２’に架設する各横水平線材８・・の一端部は、間隔材の上面部にそれぞれ架設して固着する。
【００２４】
１３，１３，１３は前記左右側定板及び中定板の前端部下側に設けた軒先箇所への掛止部である。
【００２５】
１４は前記左右側定板７，７及び中定板１１上に各設けた後側間隔材１２’，１２’，１２’の上面部に架設した横水平線材８・・上に設置した薄網板材で、この薄網板材の網目形状は亀甲状でも菱目状でもその他の形状でもよいが、プレス成型により量産できるものを使用するから、これらの薄網板材は雪止め機能を安価な製作コストによって達成することができるのである。
【符号の説明】
【００２６】
１                            雪止め部材
２                            正面視の垂直線材
３・・                        正面視の水平線材
３’・・                      底面視の水平線材
４・・                        平面視の傾斜線材
５・・                        ます目部分
６                            定置部材
７，７                        側定板
８・・                        横水平線材
９                            後端定板
１０・・                      縦水平線材
１１                          中定板
１２，１２，１２              前側間隔材
１２’，１２’，１２’        後側間隔材
１３，１３，１３              掛止部
１４                          薄網板材
【図１】
2016017334.tif 000003
【図２】
2016017334.tif 000004